(57)【要約】【課題】複数の配線をボックス本体の外部に取り出す際に、当該複数の配線を互いに接触させない配線ボックスを提供することを目的とする。【解決手段】取付状態で壁５０に電気設備４０を収容するための開口部が形成されると共に、下面側に前記電気設備から伸びる複数の配線２０ａ通すための配線孔１６ａが形成されたボックス本体１２を有しており、さらに配線孔１６ａから取り出された複数の配線２０ａを、ボックス本体１２の壁５０と反対側の面に沿って配索させた際に隣合う配線が接触しないように両者間を仕切る複数の仕切り手段１８ａと、壁５０と反対側の面に配索されている配線に接触するように設けられ、自身が回転することで複数の配線２０ａを巻き上げる巻上げ手段と、を備えている。【選択図】図１
2013188076.tif 000002
【特許請求の範囲】
【請求項１】
取付状態で壁面側に電気設備を収容するための開口部が形成されると共に、下面側に前記電気設備から伸びる複数の配線を通すための配線孔が形成されたボックス本体と、
前記配線孔から取り出された複数の配線を、前記ボックス本体の前記壁面と反対側の面に沿って配索させた際に隣合う配線が接触しないように両者間を仕切る複数の仕切り手段と、
前記壁面と反対側の面に配索されている配線に接触するように設けられ、自身が回転することで前記複数の配線を巻き上げる巻上げ手段と、
を備えた配線ボックス。
【請求項２】
前記複数の仕切り手段は、前記壁面と反対側の面に、各々が平行になるように設けられると共に、前記ボックス本体が取付状態で、各々の取り付け位置が水平方向に変更可能である請求項１に記載の配線ボックス。
【請求項３】
前記複数の仕切り手段の各々は、長手方向に直交する断面において、前記壁面と反対側の面に取り付けられる側とは反対の側が横方向に拡張されている請求項１又は２に記載の配線ボックス。
【請求項４】
前記複数の仕切り手段の各々は、長手方向に直交する断面が略Ｙ字状を呈し、該Ｙ字の基部に相当する側が前記壁面と反対側の面に取り付けられる請求項３に記載の配線ボックス。
【請求項５】
前記ボックス本体が取付状態で、前記壁面を隔てた屋内側からの操作により回転する回転手段と、
該回転手段による回転を前記巻上げ手段に伝達する伝達手段と、
をさらに備えた請求項１〜４のいずれか１項に記載の配線ボックス。
【請求項６】
前記ボックス本体は、前記壁面と反対側の面に、建物高さ方向に沿って複数の溝部が平行に形成され、
前記巻上げ手段は、前記複数の溝部の各々に、前記壁面と反対側の面に配索されている配線に接触するように設けられ、
前記複数の仕切り手段は、前記溝部と直交し、かつ前記巻上げ手段と接触しないように設けられる請求項１〜５のいずれか１項に記載の配線ボックス。
【発明の詳細な説明】
【技術分野】
【０００１】
本発明は、電気設備から伸びる複数の配線をボックス本体の外部に取り出す際に、当該複数の配線を互いに接触させない配線ボックスに関する。
【背景技術】
【０００２】
建物の壁面にＨＥＭＳ（Home Energy Management System）等の電気設備が設けられる場合、壁面から突き出た電気設備を保護するために、鋼又は難燃性ＦＲＰ等のような耐火性がある材質で作られた配線ボックスが壁面から突き出ている電気設備を覆うように取り付けられる。
【０００３】
電気設備の壁面から突き出た部分からは、電力供給に係る電力線、漏れ電流を逃がすためのアース線、及び各種の通信線等の配線が伸びている。
【０００４】
これらの配線は、電気設備を覆う配線ボックスの一面に設けられた開口部である配線孔から配線ボックスの外部に取り出され、建物内外の所定の場所へと接続される。
【０００５】
例えば、特許文献１には、配線が通る挿通孔の部分にヒンジ付きの蓋が設けられ、配線が通っていない挿通孔はヒンジ付きの蓋で閉鎖されて、配線ボックス内に塵埃等が入り込まないようにする配線ボックスが提案されている。
【先行技術文献】
【特許文献】
【０００６】
【特許文献１】特開２０１０−２１３５７２号公報
【発明の概要】
【発明が解決しようとする課題】
【０００７】
しかしながら、特許文献１に記載の技術は、配線ボックスから取り出された複数の配線を互いに隔離するような仕組みがなく、さらには配線ボックスから取り出された配線の弛みを除去するような仕組みもないので、複数の配線が互いに接触する等によって干渉するおそれがあった。
【０００８】
特に、大電流が流れる電力線からはノイズ生じやすいので、電力線と通信線が干渉した場合、当該ノイズが通信に悪影響を及ぼすことがあった。
【０００９】
本発明は、上記事実を考慮して成されたもので、電気設備から伸びる複数の配線をボックス本体の外部に取り出す際に、当該複数の配線を互いに接触させない配線ボックスを提供することを目的とする。
【課題を解決するための手段】
【００１０】
上記目的を達成するために請求項１に記載の発明は、取付状態で壁面側に電気設備を収容するための開口部が形成されると共に、下面側に前記電気設備から伸びる複数の配線を通すための配線孔が形成されたボックス本体と、前記配線孔から取り出された複数の配線を、前記ボックス本体の前記壁面と反対側の面に沿って配索させた際に隣合う配線が接触しないように両者間を仕切る複数の仕切り手段と、前記壁面と反対側の面に配索されている配線に接触するように設けられ、自身が回転することで前記複数の配線を巻き上げる巻上げ手段と、を備えたことを特徴としている。
【００１１】
請求項１の発明によれば、ボックス本体は、耐火性を有する材質で構成された一面が開口部になっている略四角柱の箱状のもので、壁面に設けられている電気設備を覆うように当該壁面に取り付けられる。
【００１２】
また、配線孔は、ボックス本体が壁面に取り付けられた状態で最も下となる面に設けられた、配線を配線ボックス内から配線ボックス外に取り出すための開口部である。
【００１３】
仕切り手段は、配線ボックス内から取り出された配線を隔離するために、ボックス本体の背面となる一面に複数設けられる。
【００１４】
巻き上げ手段は、所定の方向に回転することによって、配線ボックスの背部にある各配線の弛みを取るローラー等である。
【００１５】
配線ボックス内から取り出された各配線を仕切り手段で隔離し、さらには巻き上げ手段によって各配線の弛みを取ることで、複数の配線が互いに接触することを防止できる。
【００１６】
なお、請求項２に記載の発明のように、前記複数の仕切り手段は、前記壁面と反対側の面に、各々が平行になるように設けられると共に、前記ボックス本体が取付状態で、各々の取り付け位置が水平方向に変更可能であってもよい。
【００１７】
請求項２に記載の発明によれば、配線の太さ等に応じて、隣接する仕切り手段の間隔を任意に変更できる。
【００１８】
また、請求項３に記載の発明のように、前記複数の仕切り手段の各々は、長手方向に直交する断面において、前記壁面と反対側の面に取り付けられる側とは反対の側が横方向に拡張されているようにしてもよい。
【００１９】
請求項３に記載の発明によれば、配線ボックスの背面に断熱材等が貼られた場合でも、隣接する仕切り手段の間の空間に当該断熱材が入り込むことを防止でき、断熱材が貼られた後であっても、隣接する仕切り手段の間の空間に配線を通すことができる。
【００２０】
また、請求項４に記載の発明のように、前記複数の仕切り手段の各々は、長手方向に直交する断面が略Ｙ字状を呈し、該Ｙ字の基部に相当する側が前記壁面と反対側の面に取り付けられるようにしてもよい。
【００２１】
請求項４に記載の発明によれば、Ｙ字に拡張された部分が断熱材を受け止めるので、隣接する仕切り手段の間の空間に配線を通すことが容易となる。
【００２２】
また、請求項５に記載の発明のように、前記ボックス本体が取付状態で、前記壁面を隔てた屋内側からの操作により回転する回転手段と、該回転手段による回転を前記巻上げ手段に伝達する伝達手段と、をさらに備えてもよい。
【００２３】
請求項５に記載の発明によれば、室内からの操作によって、配線の弛みを取ることができる。
【００２４】
また、請求項６に記載の発明のように、前記ボックス本体は、前記壁面と反対側の面に、建物高さ方向に沿って複数の溝部が平行に形成され、前記巻上げ手段は、前記複数の溝部の各々に、前記壁面と反対側の面に配索されている配線に接触するように設けられ、前記複数の仕切り手段は、前記溝部と直交し、かつ前記巻上げ手段と接触しないように設けられるようにしてもよい。
【００２５】
請求項６に記載の発明によれば、巻き上げ手段は、鉛直方向とは垂直の方向に、配線ボックスの背部に設けられた溝部に埋め込まれるように設けられると共に、同じく配線ボックスの背面に設けられている仕切り手段は、巻き上げ手段の回転を干渉しないように設けられるので、仕切り手段で各配線が隔離され、かつ重力で弛みそうになる配線を効果的に巻き上げることができる。
【発明の効果】
【００２６】
以上説明したように本発明によれば、電気設備から伸びる複数の配線をボックス本体の外部に取り出す際に、当該複数の配線を互いに接触させない配線ボックスを提供することができる、という効果がある。
【図面の簡単な説明】
【００２７】
【図１】本発明の実施の形態に係る配線ボックスの断面の一例を示す図である。
【図２】本発明の実施の形態に係る配線ボックスを、断熱材を取り付けていない状態で下から見た図である。
【図３】本発明の実施の形態に係る配線ボックスの巻き上げローラーの駆動機構を示す図である。
【図４】本発明の実施の形態に係る配線ボックスの仕切りレールの取り付け部分を示す図である。
【発明を実施するための形態】
【００２８】
以下、図面を参照して本発明の実施の形態の一例を詳細に説明する。図１は、本実施の形態に係る配線ボックス１０の断面の一例を示す図である。
【００２９】
本実施の形態に係る配線ボックス１０は、建物の壁５０に設置されたＨＥＭＳ等の電気設備４０の壁面から突出した部分を保護するために、当該突出した部分を覆うように壁面に取り付けられる。取り付けは、壁５０の材質に対応したボルト等による。
【００３０】
本実施の形態に係る配線ボックス１０からは配線２０ａが伸びており、配線２０ａは、ボックス本体１２の最下面に相当する一面に設けられた開口部である配線孔１６ａからボックス本体１２の外に取り出される。
【００３１】
配線孔１６ａには、配線２０ａの太さに合わせた穴だけを開けたキャップによって封止されるが、キャップとボックス本体１２との隙間、及びキャップの穴と配線２０ａとの隙間から塵埃がボックス本体１２の中に侵入するおそれがある。
【００３２】
本実施の形態では、ボックス本体の最下面に相当する一面に配線孔を設けることにより、重力に従って落下してくる塵埃がボックス本体内に侵入することを防止している。
【００３３】
また、本実施の形態に係る配線ボックス１０は、略四角柱であるボックス本体１２の背面となる一面に配線の弛みを取るための巻き上げローラー１４ａ、１４ｂ、１４ｃ及び１４ｄが設けられると共に、背面となる一面には配線同士の接触を防止するための仕切りレール１８ａが設けられている。
【００３４】
図１に示すように、仕切りレール１８ａの巻き上げローラー１４ａ〜１４ｄの近傍部分は丸く抉られており、回転する巻き上げローラー１４ａ〜１４ｄと干渉しないようになっている。
【００３５】
ボックス本体１２及び仕切りレールの材質は、鋼等の金属、又は難燃性ＦＲＰ等の耐火性が考慮されたものが望ましい。
【００３６】
また、略四角柱であるボックス本体１２は、略直方体でもよいが、最上部での壁面に対する奥行きを、最下部での壁面に対する奥行きよりも小さくして、図１における断面が上すぼまりの台形としてもよい。
【００３７】
図１における断面は、四角柱の底面に相当するので、ボックス本体１２を、上底が下底に比して短くなっている台形が底面である四角柱状とすることで、背面となる一面の傾斜を緩くすることができ、当該一面に配索されている配線を巻き上げローラー１４ａ〜１４ｄによって巻き上げることが容易になる。
【００３８】
巻き上げローラー１４ａ〜１４ｄの配線が接触する面は、摩擦が大きいゴム又は柔軟な合成樹脂で構成すると共に、当該面に配線との摩擦が生じやすくなるような模様を設けてもよい。
【００３９】
また、本実施の形態に係る配線ボックス１０は、背面にグラスウール等の断熱材３０が設けられ、外部に取り出された配線２０ａを火災による熱から護っている。
【００４０】
図２は、本実施の形態に係る配線ボックス１０を、断熱材３０を取り付けていない状態で下から見た図である。
【００４１】
図２に示す配線ボックス１０は、配線孔１６ａ、１６ｂ及び１６ｃを有し、配線孔１６ａから配線２０ａが、配線孔１６ｂから配線２０ｂが、各々伸びている。
【００４２】
また、図２に示した配線ボックス１０は、ボックス本体１２の背面となる一面に、図１にも示した巻き上げローラー１４ａ〜１４ｄが設けられている。
【００４３】
ボックス本体１２の背面となる一面には巻き上げローラー１４ａ〜１４ｄを設けるための溝部が４箇所にあり、巻き上げローラー１４ａ〜１４ｄは、当該溝部に埋め込まれるようにしてボックス本体１２に取り付けられている。
【００４４】
巻き上げローラー１４ａ〜１４ｄは、配線ボックス１０が、配線孔１６ａ〜１６ｃが設けられている一面を最下として壁面に取り付けられた場合に、鉛直方向に対して垂直に設けられることになる。従って、巻き上げローラー１４ａ〜１４ｄが鉛直方向に抗するように回転することにより、巻き上げローラー１４ａ〜１４ｄに接触している配線２０ａ及び２０ｂは巻き上げられ、配線２０ａ及び２０ｂの弛みが除去される。
【００４５】
また、図２に示した配線ボックス１０の背面となる一面には、図１にも示した仕切りレール１８ａに加えて、仕切りレール１８ｂ、１８ｃ、１８ｄ及び１８ｅが取り付けられ、仕切りレール１８ａ及び１８ｂの間に配線２０ａが通っており、仕切りレール１８ｃ及び１８ｄの間に配線２０ｂが通っている。
【００４６】
また、仕切りレール１８ａ〜１８ｅは、各々長手方向に直交する断面が略Ｙ字状を呈し、当該Ｙ字の基部に相当する側がボックス本体１２に取り付けられている。
【００４７】
仕切りレール１８ａ〜１８ｅのＹ字状に拡張された部分は、グラスウール等の断熱材３０を受け止めるためのものである。このように拡張された部分によってグラスウール等が隣接する仕切りレールの間に入り込むことを防止できるので、本実施の形態に係る配線ボックス１０は、断熱材３０を貼った後も、配線をボックス本体の背面となる一面に配索させることが可能である。
【００４８】
また、ボックス本体の背面となる一面の上端部と下端部とには、仕切りレール１８ａ〜１８ｅの両端部の基部が噛み合うラック状のマウント３４ａ及び３４ｂが設けられている。
【００４９】
さらに、仕切りレール１８ａ〜１８ｅの両端近傍の上面には、仕切りレール１８ａ〜１８ｅをボックス本体に固定するためのボルトを通すための穴である穴部３８ａ〜３８ｅが設けられている。
【００５０】
なお、図２において、配線孔は３箇所、巻き上げローラーは４本、仕切りレールは５本としたが、これらは配線ボックスの大きさ、配線の本数、又は配線の太さ等によって適宜変更可能である。
【００５１】
図３は、本発明の実施の形態に係る配線ボックス１０の巻き上げローラー１４ａ〜１４ｄの駆動機構を示す図である。
【００５２】
巻き上げローラー１４ａ〜１４ｄは、図３において左端に相当する部分に歯車２４ａ〜２４ｄが各々設けられており、歯車２４ａ〜２４ｄは、巻き上げローラー１４ａ〜１４ｄの左端部近傍に、巻き上げローラー１４ａ〜１４ｄに対して垂直に設けられた駆動軸２２の歯車２２ａ〜２２ｄに各々噛み合っている。
【００５３】
従って、巻き上げローラー１４ａ〜１４ｄは、駆動軸２２の回転に追従して回転可能に構成されている。
【００５４】
また、駆動軸２２の上端には歯車２２ｅが設けられており、穴部２８から差し込まれたハンドル２６の先端に設けられた歯車２６ａと噛み合うようになっている。
【００５５】
本実施の形態では、配線ボックス１０を壁面に取り付け、配線を配線ボックス１０の背面となる一面に配索させた後、配線ボックス１０とは壁５０を隔てた反対側である室内側からハンドル２６を操作することにより、弛んでいる配線を巻き上げることができる。
【００５６】
なお、図３では、歯車２２ａ〜２２ｅ、２４ａ〜２４ｄ及び２６ａは、各々笠歯車で構成されるが、プレス加工でも製造可能な冠歯車と、平歯車とが噛み合う構成としてもよい。
【００５７】
図４は、本実施の形態に係る配線ボックス１０の仕切りレール１８ａ〜１８ｆの取り付け部分を示す図である。
【００５８】
図４は、図２における矢印Ａの方向から配線ボックス１０の背面となる一面を拡大して表示したものであり、仕切りレール１８ａ〜１８ｆがマウント３４ａに取り付けられている部分が示されている。
【００５９】
隣接する仕切りレールの間には配線２０ａ〜２０ｅが通っており、仕切りレール１８ａ〜１８ｆの上部には、グラスウール等の断熱材３０が貼られている。
【００６０】
また、仕切りレール１８ａ〜１８ｆは、各々の両端部にある基部がマウント３４ａ及び３４ｂの谷の部分に嵌合しており、穴部３８ａ〜３８ｆから各々通されたボルト３６ａ〜３６ｆが、マウント３４ａ及び３４ｂの谷の部分の下に各々設けられている雌ネジにねじ込まれることで、仕切りレール１８ａ〜１８ｆがマウント３４ａ及び３４ｂに固定されるようになっている。
【００６１】
マウント３４ａ及び３４ｂは、ボックス本体１２の背面となる一面を横切るように設けられると共に、谷となる各部分にはボルト３６ａ〜３６ｆをねじ込むことが可能な雌ネジが切られているので、仕切りレール１８ａ〜１８ｆは、マウント３４ａ及び３４ｂの谷部分毎であれば、任意の位置に取り付けることが可能である。
【００６２】
その結果、配線の本数に応じて、仕切りレールを任意の本数分取り付けることができ、かつ配線の太さ等に応じて、隣接する仕切りレールの間隔を任意に変更することができる。
【００６３】
図４では、最も太い配線２０ｃに対しては、仕切りレール１８ｃ及び１８ｄを引き離して取り付けることで、太い配線２０ｃに適した広さの空間を確保している。
【００６４】
最も細い配線２０ｄに対しては、仕切りレール１８ｄ及び１８ｅのＹ字の枝が接触するまで近づけて取り付けることで、細い配線２０ｄに適した広さの空間を確保している。
【００６５】
配線が比較的細い場合であっても、当該配線が電力線等のノイズの発生源になり得るものの場合、及び通信線のようにノイズの影響を受けやすいものの場合は、隣接する仕切りレールの間隔を広くしてもよい。
【００６６】
また、マウント３４ａの１つの谷は、マウント３４ｂの特定の谷に対応しているので、仕切りレールの一端にある基部をマウント３４ａのある谷に取り付ける場合、当該仕切りレールのもう一端にある基部はマウント３４ｂの所定の谷にしか取り付けられない。
【００６７】
その結果、本実施の形態では、各仕切りレールは、互いに平行な状態が担保された状態で、取り付け位置を水平方向であれば任意に変更できる。
【００６８】
また、本実施の形態では、仕切りレールの断面は略Ｙ字状であるが、Ｙ字の枝の長さを左右で異なるようにしてもよい。
【００６９】
その結果、隣接する仕切りレールが互いに接触するまで近づけた場合、図４の仕切りレール１８ｄ及び１８ｅのように、配線が通る空間の上部を閉鎖することができ、断熱材３０が、配線が通る空間に侵入することを防止できる。
【００７０】
以上説明したように、本実施の形態に係る配線ボックスによれば、複数の仕切りレールによって各配線が接触できないようにすると共に、巻き上げローラーによって各配線の弛みを除去できるので、複数の配線の各々が干渉することを防止できる。
【００７１】
また、各仕切りレールの取り付け位置は、各々が平行であることを担保した上で、任意に変更可能なので、配線の太さ、ノイズの発生のしやすさ及びノイズによる影響の受けやすさを鑑みて、各仕切りレールの間隔を設定できる。
【符号の説明】
【００７２】
１０  配線ボックス
１２  ボックス本体
１４ａ、１４ｂ、１４ｃ、１４ｄ  巻き上げローラー
１６ａ、１６ｂ、１６ｃ  配線孔
１８ａ、１８ｂ、１８ｃ、１８ｄ、１８ｅ、１８ｆ  仕切りレール
２０ａ、２０ｂ、２０ｃ、２０ｄ、２０ｅ  配線
２２  駆動軸
２２ａ、２２ｂ、２２ｃ、２２ｄ，２２ｅ  歯車
２４ａ、２４ｂ、２４ｃ、２４ｄ  歯車
２６  ハンドル
２６ａ  歯車
２８  穴部
３０  断熱材
３４ａ、３４ｂ  マウント
３６ａ、３６ｂ、３６ｃ、３６ｄ、３６ｅ、３６ｆ  ボルト
３８ａ、３８ｂ、３８ｃ、３８ｄ、３８ｅ、３８ｆ  穴部
４０  電気設備
５０  壁
【図１】
2013188076.tif 000003
【図２】
2013188076.tif 000004
【図３】
2013188076.tif 000005
【図４】
2013188076.tif 000006